(57)【特許請求の範囲】
【請求項１】
清浄機本体と、
前記清浄機本体に備えられ、外部の空気を導入し、清浄させて吐出する第１送風手段と、
前記第１送風手段から吐出された空気の移動経路上に備えられ、前記清浄機本体の上面に回動可能に結合されて、空気の吐出方向を誘導する空気誘導部と、
前記空気誘導部に設置されて空気を送風させる第２送風手段と、
を含み、
前記空気誘導部は、
前記清浄機本体の上面に備えられ、前記第１送風手段から吐出される清浄空気の移動経路上に備えられるカバートップと、
前記カバートップに回動可能に結合され、前記第２送風手段が設置される回動取付部と、を備え、
前記回動取付部は、
前記カバートップの上方の部分に備えられ、前記第２送風手段が取り付けられる下部グリルと、
前記下部グリルの上方の部分に結合されて、前記第２送風手段が収納される空間を形成する上部グリルと、
前記カバートップを挟んで前記下部グリルと結合されて、前記回動取付部が前記カバートップ上で回動するようにガイドするローテーションガイドと、を含む、空気清浄機。
【請求項２】
前記カバートップは、底面に前記回動取付部の回動を案内するガイドレールを備え、
前記ローテーションガイドは、前記ガイドレール上に移動するように設置される、請求項１に記載の空気清浄機。
【請求項３】
前記下部グリルは、底面に離隔形成される複数の位置決め溝を備え、
前記カバートップは、前記位置決め溝に選択的に挿入されて、前記回動取付部の回動角度を設定するポジショニングロッドを備える、請求項１に記載の空気清浄機。
【請求項４】
前記清浄機本体は、
前記第１送風手段が設置される内部空間を有する本体ハウジングと、
前記本体ハウジングの上面に備えられ、前記空気誘導部が取り付けられるガイドトップと、を備える、請求項１に記載の空気清浄機。
【請求項５】
前記ガイドトップには、外部の空気が流入される少なくとも一つ以上の空気流入口が形成される、請求項４に記載の空気清浄機。
【請求項６】
前記カバートップは、前記空気誘導部と、前記空気誘導部に設置される前記第２送風手段とが前記清浄機本体上において回転することができるように、前記ガイドトップ上に回転可能に設置され、
前記ガイドトップの上面には第１レール部が備えられ、
前記カバートップの下面には前記第１レール部に回転可能に設置される第２レール部が備えられる、請求項４に記載の空気清浄機。
【請求項７】
前記第１送風手段と前記第２送風手段は、互いに独立して駆動されるように備えられる、請求項１に記載の空気清浄機。
【請求項８】
前記第１送風手段が駆動されるとともに前記第２送風手段が停止して、前記清浄機本体から清浄された空気を吐出する空気清浄モードと、
前記第１送風手段が停止するとともに前記第２送風手段が駆動されて、導入された空気を送風させる送風モードと、
前記第１送風手段と前記第２送風手段とがともに駆動されて、前記第１送風手段によって吐出された清浄された空気に、前記第２送風手段によって追加の吐出力を加えて、室内空間に送風させる清浄送風モードと、
を備える、請求項１に記載の空気清浄機。
【発明の詳細な説明】
【技術分野】
【０００１】
本発明は、空気清浄機に関するものであり、より詳細には、送風される空気の吐出方向を誘導して、室内空間の空気流動を向上させた空気清浄機に関するものである。
【背景技術】
【０００２】
この部分に記述された内容は、単に本発明の背景情報を提供するだけであって、従来の技術を構成するものではないことを明らかにしておく。
【０００３】
一般に、空気清浄機は、汚染された室内空気を吸入して空気に含有された埃、臭い粒子などをフィルターを介して濾過し、吸入された空気をきれいな空気に浄化させる。このように浄化された空気は、空気清浄機の外部、すなわち、室内に再び吐出される。
【０００４】
換言すると、空気清浄機は、汚染された周囲の空気を吸入して浄化した後、きれいな空気を外部に吐出して、空気清浄機が設置された周囲の空気を浄化する。
【０００５】
このため、一般に、空気清浄機は、周囲の空気を流入させて、浄化された空気を吐出するための送風装置と、流入された空気に含まれる埃、臭い粒子などを濾過するフィルターと、を備えることができる。
【０００６】
しかし、関連する技術による空気清浄機は、ハウジングの一側に吸気口を備えており、他側、例えば側面や上端に空気吐出口を備える構造を有している。
【０００７】
かかる構造の空気清浄機は、室内空間のうち、空気吸入口方向の空間と空気吐出口方向の空間にのみ空気の流動が活発に発生し、これ以外の空間では、空気の流動が相対的に少なく発生するため、室内空間全体の空気をバランスよく流動させて短時間で浄化することが難しいという短所があった。
【０００８】
また、空気清浄機から空気が吐出される方向を制限されるため、空気清浄機が使用される室内空間において空気全体の循環が容易に形成されないという問題点があった。
【０００９】
その結果、関連する技術による空気清浄機は、風量に比べて空気の清浄効率が低いという短所を有していた。
【発明の概要】
【発明が解決しようとする課題】
【００１０】
本発明は、上記のような関連する空気清浄機で発生するニーズ及び問題のうち少なくともいずれか一つを認識してなされたものである。
【００１１】
本発明は、一側面として、室内空間の空気流動を最大限に発生させることができる空気清浄機を提供しようとするものである。
【００１２】
本発明は、一側面として、空気清浄機が使用されている室内空間において、空気全体の循環を形成することができる空気清浄機を提供しようとするものである。
【００１３】
本発明は、一側面として、空気清浄機から送風される空気の送風方向を広く形成して、室内において空気全体の循環を形成することで、室内空気の清浄効率を向上させることができる空気清浄機を提供しようとするものである。
【課題を解決するための手段】
【００１４】
上記のような目的を達成するための一側面として、本発明は、清浄機本体と、上記清浄機本体に備えられ、外部の空気を導入し、清浄させて吐出する第１送風手段と、上記第１送風手段から吐出された空気の移動経路上に備えられ、上記清浄機本体の上面に回動可能に結合されて、空気の吐出方向を誘導する空気誘導部と、上記空気誘導部に設置されて空気を送風させる第２送風手段と、を含み、空気誘導部は、上記清浄機本体の上面に備えられ、上記第１送風手段から吐出される清浄空気の移動経路上に備えられるカバートップと、上記カバートップに回動可能に結合され、上記第２送風手段が設置される回動取付部と、を含み、回動取付部は、上記カバートップの上方の部分に備えられ、上記第２送風手段が取り付けられる下部グリルと、上記下部グリルの上方の部分に結合されて、上記第２送風手段が収納される空間を形成する上部グリルと、上記カバートップを挟んで上記下部グリルと結合されて、上記回動取付部が上記カバートップ上で回動するようにガイドするローテーションガイドと、を含む空気清浄機を提供する。
【００１７】
好ましくは、カバートップは、底面に上記回動取付部の回動を案内するガイドレールを備え、上記ローテーションガイドは、上記ガイドレール上に移動するように設置されることができる。
【００１８】
好ましくは、下部グリルは、底面に離隔形成される複数の位置決め溝を備え、上記カバートップは、上記位置決め溝に選択的に挿入されて、上記回動取付部の回動角度を設定するポジショニングロッドを備えることができる。
【００１９】
好ましくは、清浄機本体は、上記第１送風手段が設置される内部空間を有する本体ハウジングと、上記本体ハウジングの上面に備えられ、上記空気誘導部が取り付けられるガイドトップと、を備えることができる。
【００２０】
好ましくは、ガイドトップには、外部の空気が流入される少なくとも一つ以上の空気流入口が形成されることができる。
【００２１】
好ましくは、カバートップは、上記空気誘導部と、上記空気誘導部に設置される上記第２送風手段とが上記清浄機本体上において回転することができるように上記ガイドトップ上に回転可能に設置され、上記ガイドトップの上端には第１レール部が備えられ、上記カバートップの下面には上記第１レール部に回転可能に設置される第２レール部が備えられることができる。
【００２２】
好ましくは、上記第１送風手段と上記第２送風手段は、互いに独立して駆動されるよう備えられることができる。
【００２３】
好ましくは、上記第１送風手段が駆動されるとともに上記第２送風手段が止して、上記清浄機本体で清浄された空気を吐出する空気清浄モードと、上記第１送風手段が停止するとともに上記第２送風手段が駆動されて、導入された空気を送風させる送風モードと、上記第１送風手段と上記第２送風手段とがともに駆動されて、上記第１送風手段によって吐出された清浄された空気に、上記第２送風手段によって追加の吐出力を加えて、室内空間に送風させる清浄送風モードと、を備えることができる。
【発明の効果】
【００２４】
本発明の一実施形態によれば、室内空間の空気流動を最大限に発生させ、空気清浄機が使用されている室内空間で空気全体の循環を形成することができる。
【００２５】
本発明の一実施形態によれば、上側に吐出方向が固定形成される場合に比べて、空気清浄機から送風される空気の送風方向を広く形成し、室内において空気全体の循環を形成して、室内空気の清浄効率を向上させることができる。
【００２６】
本発明の一実施形態によれば、空気清浄モード、送風モード、及び清浄送風モードを選択することで、室内の空気清浄効率、及び室内空間における空気全体の循環の形成という機能を大幅に増加させることができる。
【図面の簡単な説明】
【００２７】
【図１】本発明の一実施形態による空気清浄機の斜視図である。
【図２】本発明の一実施形態による空気清浄機の空気誘導部を含む領域の分解斜視図である。
【図３】本発明の一実施形態による空気清浄機の空気誘導部を含む領域の結合状態の断面図である。
【図４】本発明の一実施形態による空気清浄機の空気誘導部の回動状態を示す図である。
【図５】図４のＡ領域の拡大詳細図である。
【図６】本発明の一実施形態による空気清浄機の空気誘導部の回動状態と、ガイドトップの空気流入口を介して空気が流入する状態を示す図である。
【図７ａ】本発明の一実施形態による空気清浄機の空気清浄モード状態を示す図である。
【図７ｂ】本発明の一実施形態による空気清浄機の送風モード状態を示す図である。
【図７ｃ】本発明の一実施形態による空気清浄機の清浄送風モード状態を示す図である。
【発明を実施するための形態】
【００２８】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどは、より明確に説明するために誇張されることがある。
【００２９】
以下、図面を参照して、本発明の一実施形態による空気清浄機１０について具体的に説明する。
【００３０】
図１〜図７ｃを参照すると、本発明の一実施形態による空気清浄機１０は、清浄機本体１００と、第１送風手段２００と、空気誘導部３００と、第２送風手段４００と、を含むことができる。
【００３１】
より詳細には、本発明の一実施形態による空気清浄機１０は、清浄機本体１００と、上記清浄機本体１００に備えられ、外部の空気を導入し、清浄させて吐出する第１送風手段２００と、上記第１送風手段２００から吐出された空気の移動経路上に備えられ、上記清浄機本体１００の上端に回動可能に結合されて、空気の吐出方向を誘導する空気誘導部３００と、上記空気誘導部３００に設置されて空気を送風させる第２送風手段４００と、を含むことができる。
【００３２】
図１及び図７ａに示すように、清浄機本体１００は、上記第１送風手段２００が設置される内部空間が形成される本体ハウジング１１０を備えることができる。
【００３３】
本体ハウジング１１０の内部には、外部の空気を導入し、清浄させて吐出する第１送風手段２００を備えることができる。
【００３４】
第１送風手段２００は、清浄機本体１００の周方向に沿って空気を吸入して清浄機本体１００の軸方向である上方に空気を吐出することができる。
【００３５】
第１送風手段２００は、清浄機本体１００の内部に備えられ、外部の空気を清浄機本体１００の内部に吸入した後、清浄機本体１００の軸方向の上方に吐出させることで空気の流動を発生させることができる。
【００３６】
第１送風手段２００は、フィルターを含むことで、装置を通過する空気を濾過して清浄させることができる。
【００３７】
空気誘導部３００は、第１送風手段２００から吐出された空気の移動経路上に備えられて、空気の吐出方向を誘導する部材である。
【００３８】
空気誘導部３００は、清浄機本体１００に回動可動に設置されるため、上方に吐出方向が固定形成される場合に比べて、空気清浄機１０から送風される空気の送風方向を広く形成して室内における空気全体の循環を形成することができ、室内空気の清浄効率を向上させることができる。
【００３９】
第２送風手段４００は、空気誘導部３００に設置されて、空気を吐出する吐出力を提供することができる。
【００４０】
第２送風手段４００は、駆動モータを備える送風ファンと、送風ファンが収容され、空気誘導部３００に設置される設置フレームと、を含むことができる。
【００４１】
図示されていないが、設置フレームは、上部及び下部に空気の流路が形成される円筒状部材として提供されることができ、設置フレームは、空気誘導部３００の上部グリル３３０、下部グリル３４０の固定フレームにボルトなどの締結部材によって固定されることができる。
【００４２】
第２送風手段４００は、第１送風手段２００とともに駆動されて、第１送風手段２００によって吐出された空気に追加の吐出力を提供するように構成されることができる。
【００４３】
また、第２送風手段４００は、第１送風手段２００とは別に駆動されるよう構成されることができ、第２送風手段４００だけを駆動して、室内空気を循環させるために使用することができる。
【００４４】
空気誘導部３００は、カバートップ３１０と、回動取付部３２０と、を含むことができる。
【００４５】
図２及び図４の（ａ）〜（ｄ）に示すように、空気誘導部３００は、上記清浄機本体１００の上面に備えられ、上記第１送風手段２００から吐出される清浄空気の移動経路上に備えられるカバートップ３１０と、上記カバートップ３１０に回動可能に結合され、上記第２送風手段４００が設置される回動取付部３２０と、を備えることができる。
【００４６】
図２に示すように、カバートップ３１０は、清浄機本体１００の上面に結合されるカバートップ本体３１１と、空気誘導部３００が設置される部分を提供する誘導取付部３１２と、を備えることができる。
【００４７】
誘導取付部３１２は、回動取付部３２０が設置される部分であり、半球形状を有するように提供されることができる。半球形状を有する回動取付部３２０がカバートップ３１０の誘導取付部３１２上で回動されるので、誘導取付部３１２は、回動取付部３２０に対応する形状に構成される必要がある。
【００４８】
誘導取付部３１２は、格子状の部材が交差するグリッド形状として設置され、その結果、空気の流路が形成されることができる。第１送風手段２００から吐出された清浄空気と、第２送風手段４００から導入された空気は、流路を介して通過することができる。
【００４９】
回動取付部３２０は、下部グリル３４０と、上部グリル３３０と、ローテーションガイド３５０と、を含むことができる。
【００５０】
図２に示すように、回動取付部３２０は、上記カバートップ３１０の上方の部分に備えられて、上記第２送風手段４００が取り付けられる下部グリル３４０と、上記下部グリル３４０の上方の部分に結合されて、上記第２送風手段４００が収納される空間を形成する上部グリル３３０と、上記カバートップ３１０を挟んで上記下部グリル３４０と結合されて、上記回動取付部３２０が上記カバートップ３１０上で回動されるようにガイドするローテーションガイド３５０と、を含むことができる。
【００５１】
図２及び図６に示すように、カバートップ３１０は、底面に上記回動取付部３２０の回動を案内する案内レール３１４を備えることができる。
【００５２】
ローテーションガイド３５０は、カバートップ３１０を挟んで上記下部グリル３４０と結合され、上記ガイドレール３１４上を移動することができる。
【００５３】
カバートップ３１０の底面には一対のガイドレール３１４が備えられることができ、ガイドレール３１４は、カバートップ３１０の底面の形状に対応する形状の湾曲形状に備えられることができる。
【００５４】
図４に示すように、下部グリル３４０は、カバートップ３１０に回動可能に結合されることができる。
【００５５】
下部グリル３４０の底面に形成された複数の位置決め溝３４１にポジショニングロッド３１５の半球状突出部材３１６が選択的に挿入されて、下部グリル３４０を備える回動取付部３２０と、回動取付部３２０に設置される第２送風手段４００の回動角度とが設定されることができる。
【００５６】
図４及び図５に示すように、回動取付部３２０の下部グリル３４０は、底面に離隔形成される複数の位置決め溝３４１を備え、カバートップ３１０は、上記位置決め溝３４１に選択的に挿入されて、上記回動取付部３２０の回動角度を設定するポジショニングロッド３１５を備えることができる。
【００５７】
図４に示すように、位置決め溝３４１は、下部グリル３４０の底面に離隔形成されることができ、位置決め溝３４１にポジショニングロッド３１５が挿入されて、回動取付部３２０の回動角度が決定されることができる。
【００５８】
ポジショニングロッド３１５は、カバートップ３１０に形成された取付孔の内部に突出するように設置されることができる。
【００５９】
図５に示すように、ポジショニングロッド３１５は、カバートップ３１０の取付孔よりも大きい幅を有する離脱防止板が形成され、取付孔から突出して位置決め溝３４１に挿入される半球状突出部材３１６と、半球状突出部材３１６の下部を弾性加圧する弾性部材３１７と、を含むことができる。
【００６０】
ポジショニングロッド３１５の下方の部分に弾性部材３１７が挿入された状態で、ポジショニングロッド３１５と弾性部材３１７とを挟んで、カバートップ３１０とカバー部材３１８とが結合されることができる。
【００６１】
ポジショニングロッド３１５の半球状突出部材３１６と弾性部材３１７は、カバートップ３１０とカバー部材３１８とによって形成された空間に収容することができ、ポジショニングロッド３１５の半球状突出部材３１６は、カバートップ３１０の取付孔の内部に突出するように構成されることができる。
【００６２】
ポジショニングロッド３１５の半球状突出部材３１６は、弾性部材３１７によって弾性加圧され、上記カバートップ３１０の上面に突き出て位置決め溝３４１に固定されることができる。
【００６３】
ポジショニングロッド３１５の半球状突出部材３１６は、弾性部材３１７によって加圧されるため、挿入された位置決め溝３４１から容易に離脱するのを防止することができる。
【００６４】
清浄機本体１００は、本体ハウジング１１０と、ガイドトップ１３０と、を備えることができる。
【００６５】
図３に示すように、清浄機本体１００は、上記第１送風手段２００が設置される内部空間を有する本体ハウジング１１０と、上記本体ハウジング１１０の上面に備えられ、上記空気誘導部３００が取り付けられるガイドトップ１３０と、を備えることができる。
【００６６】
図６に示すように、ガイドトップ１３０には、外部の空気が流入される少なくとも一つ以上の空気流入口１３１を形成することができる。
【００６７】
第２送風手段４００によって導入された吐出力により、ガイドトップ１３０に形成された空気流入口１３１を介して外気が導入されることができる。
【００６８】
図示されていないが、カバートップ３１０がガイドトップ１３０上において回転可能に設置されることで、空気誘導部３００と、空気誘導部３００に設置される第２送風手段４００とは、清浄機本体１００上において回転することができる。
【００６９】
カバートップ３１０は、上記ガイドトップ１３０に回転可能に設置されていることで、上記空気誘導部３００と、上記空気誘導部３００に設置される上記第２送風手段４００とが上記清浄機本体１００上において回転することができる。上記ガイドトップ１３０の上面には第１レール部が備えられ、上記カバートップ３１０には上記第１レール部に回転可能に設置される第２レール部が備えられることができる。
【００７０】
この場合、ガイドトップ１３０上においてカバートップ３１０が容易に回転できるように、第１レール部と第２レール部は、互いに対応する形状のリング状の部材とすることができる。
【００７１】
上記第１送風手段２００と上記第２送風手段４００は、互いに独立して駆動されるよう備えられることができる。
【００７２】
図７ａ〜図７ｃに示すように、空気清浄機１０は、空気清浄モードＭ１と、送風モードＭ２と、清浄送風モードＭ３と、を備えることができる。
【００７３】
図７ａに示すように、空気清浄モードＭ１は、第１送風手段２００のみが駆動されることで、第１流入経路Ｓ１を介して空気が移動することができる。
【００７４】
図７ｂに示すように、送風モードＭ２は、第２送風手段４００のみが駆動されることで、第２流入経路Ｓ２を介して空気が移動することができる。
【００７５】
図７ｃに示すように、清浄送風モードＭ３は、第１送風手段２００と第２送風手段４００とがともに駆動されることで、第１流入経路Ｓ１と第２流入経路Ｓ２とを介して空気が移動することができる。
【００７６】
空気清浄機１０は、第１送風手段２００が駆動されるとともに上記第２送風手段４００が停止して、上記清浄機本体１００から清浄された空気を吐出する空気清浄モードＭ１と、上記第１送風手段２００が停止するとともに上記第２送風手段４００が駆動されて、導入された空気を送風させる送風モードＭ２と、上記第１送風手段２００と上記第２送風手段４００とがともに駆動されて、上記第１送風手段２００によって吐出された清浄された空気に、上記第２送風手段４００によって追加の吐出力を加えて、室内空間に送風させる清浄送風モードＭ３と、を備えることができる。
【００７７】
図７ａに示すように、空気清浄モードＭ１が実行される場合、第１送風手段２００が駆動され、上記第２送風手段４００が停止する。すなわち、清浄機本体１００の内部で清浄された空気を第１送風手段２００によって室内に吐出することができる。
【００７８】
空気清浄モードＭ１の場合は、室内空間に浮遊する埃などの異物を除去して清浄な空気を室内に吐出させることで、室内空気の質を向上させることができるという効果がある。
【００７９】
また、空気清浄モードＭ１の場合は、清浄された空気を強く吐出させないが、空気清浄機１０から発生する騒音を低減することができるという利点がある。
【００８０】
図７ｂに示すように、送風モードＭ２が実行される場合、第１送風手段２００が停止し、第２送風手段４００が駆動される。
【００８１】
送風モードＭ２の場合は、空気清浄機１０に導入された空気を強く吐出させることで室内全体に空気の循環を形成することができるという効果がある。
【００８２】
図７ｃに示すように、清浄送風モードＭ３が実行される場合、上記第１送風手段２００と上記第２送風手段４００とがともに駆動されることができる。
【００８３】
清浄送風モードＭ３の場合は、清浄な空気を室内に吐出させ、室内空気の質を向上させることができ、空気清浄機１０に導入された空気を強く吐出させて、室内全体に空気の循環を形成することができるという利点がある。
【００８４】
但し、第１送風手段２００と第２送風手段４００とがともに駆動されるため、空気清浄モードＭ１に比べて、空気清浄機１０によって発生する騒音が大きくなる可能性がある。
【００８５】
以上、本発明の実施形態について詳細に説明したが、本発明の範囲はこれに限定されず、特許請求の範囲に記載された本発明の技術的思想から外れない範囲内で多様な修正及び変形が可能であるということは、当技術分野の通常の知識を有する者には明らかである。
【図１】
0006486497.tif 000002
【図２】
0006486497.tif 000003
【図３】
0006486497.tif 000004
【図４（ａ）】
0006486497.tif 000005
【図４（ｂ）】
0006486497.tif 000006
【図４（ｃ）】
0006486497.tif 000007
【図４（ｄ）】
0006486497.tif 000008
【図５】
0006486497.tif 000009
【図６（ａ）】
0006486497.tif 000010
【図６（ｂ）】
0006486497.tif 000011
【図７ａ】
0006486497.tif 000012
【図７ｂ】
0006486497.tif 000013
【図７ｃ】
0006486497.tif 000014